(57)【要約】      （修正有）【課題】外観性及び装着感を損なうことなく、サンバイザー帽子と丸帽子と鍔付き帽子として自在に使い分けることができるスリーウェイ帽子を提供する。【解決手段】下部折曲部２３を介して上側に折り曲げられ上縁に開口部を有するように外側環状帯部２２Ａ及び内側環状帯部から形成された帯状本体部２１と、内側環状帯部２２Ａの開口部内に設けられた取付釦部と、帯状本体部２１の前側下部２３Ａに一体に形成された鍔部２６とを有するサンバイザー帽子部２０と、内層部及び外層部３３から形成された半球状本体部３１と、内層部に取付釦部に対応して設けられた釦穴部とを有する丸帽子部３０とからなり、サンバイザー帽子部２０と丸帽子部３０とが取付釦部及び釦穴部を介して着脱自在に取り付けられ、サンバイザー帽子部２０と丸帽子部３０のそれぞれ単体及び両者を合体して使用することができる。【選択図】図１
0003150574.tif 000002
【実用新案登録請求の範囲】
【請求項１】
頭部外周に被着可能であって下部折曲部を介して上側に折り曲げられ上縁に開口部を有するように外側環状帯部及び内側環状帯部から形成された帯状本体部と、前記帯状本体部の内側環状帯部の開口部内に設けられた取付釦部と、前記帯状本体部の前側下部に一体に形成された鍔部とを有するサンバイザー帽子部と、
頭部を被覆可能であって内層部及び外層部から形成された半球状本体部と、前記半球状本体部の内層部に前記帯状本体部に形成された取付釦部に対応して設けられた釦穴部とを有する丸帽子部とからなり、
前記サンバイザー帽子部と丸帽子部とが前記取付釦部及び釦穴部を介して着脱自在に取り付けられ、前記サンバイザー帽子部と丸帽子部のそれぞれ単体及び両者を合体して使用することができることを特徴とするスリーウェイ帽子。
【請求項２】
前記サンバイザー帽子部及び丸帽子部が編物素材よりなり、単体でニットバイザー及びワッチキャップ、合体して鍔付きニットキャップとして使用される請求項１に記載のスリーウェイ帽子。
【考案の詳細な説明】
【技術分野】
【０００１】
本考案は、サンバイザー帽子と丸帽子（鍔なしキャップ）と鍔付き帽子として自在に使い分けることができるスリーウェイ帽子に関する。
【背景技術】
【０００２】
一般に、帽子を着用する際には、ファッション性や使用目的に対応した機能性を考慮して各種の帽子の中から適宜選択される。例えば、ゴルフやテニス等のスポーツ、あるいはハイキングや釣り等のレジャー等、長時間屋外で過ごす場合には、日射病対策や直射日光から目を保護する等の機能性が求められるため、サンバイザーや鍔付きキャップ等からいずれかを選択して着用するという具合である。この場合、外出先において、予め着用した帽子と異なる目的に対応した帽子に取り替えようとすると、他の帽子を持ち歩かなければならない。
【０００３】
これに対して、サンバイザー（または鍔なしキャップ）と鍔付きキャップとして使い分けることができるツーウェイキャップが知られている（例えば、特許文献１参照。）。このツーウェイキャップによれば、サンバイザー部の帯状部の外周または内周部分に設けられたホック部と、キャップ部の内周または外周部分に前記ホック部に対応して設けられた被ホック部とを着脱自在に構成することにより、サンバイザー（または丸帽）単体やサンバイザー部とキャップ部とを結合させた鍔付きキャップとして使用することができる。
【０００４】
しかしながら、上記ツーウェイキャップでは、サンバイザー部の帯状部外周にホック部が設けられている場合、帯状部にホック部が露出することとなってサンバイザー部単体で使用するには外観上好ましくない。そのため、鍔なしキャップ単体またはサンバイザー部とキャップ部とを結合させた鍔付きキャップのいずれかに限定されてしまう。また、サンバイザー部の帯状部内周にホック部が設けられている場合では、キャップ部の外周に被ホック部が露出するため、鍔なしキャップとして使用するには外観上好ましくなく、サンバイザー単体または鍔付きキャップのいずれかに限定されてしまう。
【０００５】
一方、上のように、サンバイザー部の帯状部内周にホック部が設けられてサンバイザー部単体で使用する場合、着用者の頭部側にホック部が突出することとなるため、着用時に頭部に堅いホック部が接触する等して装着感が悪くなる。同様に、キャップ部の内周に被ホック部が設けられて鍔なしキャップ単体として使用する場合でも、着用者の頭部側に被ホック部が突出することとなるため、着用時に頭部に堅い被ホック部が接触する等して装着感が悪くなる。
【先行技術文献】
【特許文献】
【０００６】
【特許文献１】特開２００６−２４９６４７号公報
【考案の概要】
【考案が解決しようとする課題】
【０００７】
本考案は前記の点に鑑みなされたものであり、外観性及び装着感を損なうことなく、サンバイザー帽子と丸帽子と鍔付き帽子として自在に使い分けることができるスリーウェイ帽子を提供するものである。
【課題を解決するための手段】
【０００８】
すなわち、請求項１の考案は、頭部外周に被着可能であって下部折曲部を介して上側に折り曲げられ上縁に開口部を有するように外側環状帯部及び内側環状帯部から形成された帯状本体部と、前記帯状本体部の内側環状帯部の開口部内に設けられた取付釦部と、前記帯状本体部の前側下部に一体に形成された鍔部とを有するサンバイザー帽子部と、頭部を被覆可能であって内層部及び外層部から形成された半球状本体部と、前記半球状本体部の内層部に前記帯状本体部に形成された取付釦部に対応して設けられた釦穴部とを有する丸帽子部とからなり、前記サンバイザー帽子部と丸帽子部とが前記取付釦部及び釦穴部を介して着脱自在に取り付けられ、前記サンバイザー帽子部と丸帽子部のそれぞれ単体及び両者を合体して使用することができることを特徴とするスリーウェイ帽子に係る。
【０００９】
請求項２の考案は、前記サンバイザー帽子部及び丸帽子部が編物素材よりなり、単体でニットバイザー及びワッチキャップ、合体して鍔付きニットキャップとして使用される請求項１に記載のスリーウェイ帽子に係る。
【考案の効果】
【００１０】
請求項１の考案に係るスリーウェイ帽子は、頭部外周に被着可能であって下部折曲部を介して上側に折り曲げられ上縁に開口部を有するように外側環状帯部及び内側環状帯部から形成された帯状本体部と、前記帯状本体部の内側環状帯部の開口部内に設けられた取付釦部と、前記帯状本体部の前側下部に一体に形成された鍔部とを有するサンバイザー帽子部と、頭部を被覆可能であって内層部及び外層部から形成された半球状本体部と、前記半球状本体部の内層部に前記帯状本体部に形成された取付釦部に対応して設けられた釦穴部とを有する丸帽子部とからなり、前記サンバイザー帽子部と丸帽子部とが前記取付釦部及び釦穴部を介して着脱自在に取り付けられ、前記サンバイザー帽子部と丸帽子部のそれぞれ単体及び両者を合体して使用することができるため、外観性及び装着感を損なうことなく、サンバイザー帽子と丸帽子と鍔付き帽子として極めて良好かつ自在に使い分けることができる。
【００１１】
請求項２の考案は、請求項１において、前記サンバイザー帽子部及び丸帽子部が編物素材よりなり、単体でニットバイザー及びワッチキャップ、合体して鍔付きニットキャップとして使用されるため、ファンション性をより向上させることができ、特にサンバイザー帽子部と丸帽子部との合体時には装着時の安定感が向上するとともに統一感を得ることができる。
【図面の簡単な説明】
【００１２】
【図１】本考案の一実施例に係るスリーウェイ帽子の斜視図である。
【図２】サンバイザー帽子部の斜視図である。
【図３】帯状本体部を折り曲げる前のサンバイザー帽子部の斜視図である。
【図４】丸帽子部の斜視図である。
【図５】サンバイザー帽子部と丸帽子部の取り付け部分の断面図である。
【考案を実施するための形態】
【００１３】
図１に示す本考案の一実施例に係るスリーウェイ帽子１０は、サンバイザー帽子部２０と、丸帽子部３０とからなる。
【００１４】
サンバイザー帽子部２０は、図１〜３，５に示すように、頭部外周に被着可能であって下部折曲部２３を介して上側に折り曲げられ上縁に開口部２４を有するように外側環状帯部２２Ａ及び内側環状帯部２２Ｂから形成された帯状本体部２１と、帯状本体部２１の内側環状帯部２２Ｂの開口部２４内に設けられた取付釦部２５と、帯状本体部２１の前側下部２３Ａに一体に形成された鍔部２６とを有する。サンバイザー帽子部２０の材質としては、従来公知の帽子に使用される適宜の材料を使用することができ、特に、ナイロン，ポリエステル，アクリル等の合成繊維、あるいは木綿，羊毛等の天然繊維を単体または混合してなる編物素材であることが好ましい。実施例では、アクリル繊維を７０％と羊毛３０％を混合した編物素材からなる。
【００１５】
帯状本体部２１は、外側環状帯部２２Ａと内側環状帯部２２Ｂの各上縁がほぼ同一高さに揃えられてなり、頭部外周に被着されてサンバイザー帽子部２０を装着可能とするものである。実施例の帯状本体部２１は、編物素材からなることにより伸縮自在に構成されているため、着用者の頭部に容易に適合させることができる。
【００１６】
取付釦部２５は、公知の服飾用釦が用いられ、特に、着用時の違和感を抑制するために凹凸がない平釦であることが好ましい。また、この取付釦部２５は、図３，５に示すように、内側環状帯部２２Ｂの開口部２４内の複数箇所に設けられていることが好ましい。実施例では内側環状帯部２２Ｂの全周にわたって等間隔で４つ取付けられている。なお、図５において、符号２５Ａは取付釦部２５を内側環状帯部２２Ｂに取付けるための糸である。
【００１７】
鍔部２６は、帯状本体部２１の前方に中央部分が上方に湾曲して略半円状に突出して形成され、直射日光から目を保護するように構成される。この鍔部２６としては、編物素材の内部に厚紙やプラスチック等の芯材を有する公知の部材を使用することができる。
【００１８】
丸帽子部３０は、図１，４，５に示すように、頭部を被覆可能であって内層部３２及び外層部３３から形成された半球状本体部３１と、半球状本体部３１の内層部３２に帯状本体部２１に形成された取付釦部２５に対応して設けられた釦穴部３５とを有する。丸帽子部３０の材質としては、従来公知の帽子に使用される適宜の材料を使用することができ、特に、サンバイザー帽子部２０と同様に、ナイロン，ポリエステル，アクリル等の合成繊維、あるいは木綿，羊毛等の天然繊維を単体または混合してなる編物素材であることが好ましい。実施例では、アクリル繊維を７０％と羊毛３０％を混合した前記サンバイザー帽子部２０と同一の編物素材からなる。
【００１９】
実施例の丸帽子部３０は、半球本体部３１が前記帯状本体部２１と同様に編物素材からなることにより伸縮自在に構成されているため、着用者の頭部に容易に適合させることができる。
【００２０】
また、釦穴部３５は、半球状本体部３１の内層部３２に切り込み状に形成される。そのため、丸帽子部３０の内周側に突出部分が全くなくなり、着用時に違和感を与えることがない。なお、釦穴部３５が前記複数（４つ）の取付釦部２５に対応して、半球状本体部３１の内層部３２の全周にわたって複数箇所（４箇所）に設けられていることはいうまでもない。
【００２１】
このスリーウェイ帽子１０にあっては、サンバイザー帽子部２０と丸帽子部３０とが取付釦部２５及び釦穴部３５を介して着脱自在に取り付けられ、サンバイザー帽子部２０と丸帽子部３０のそれぞれ単体及び両者を合体して使用することができる。
【００２２】
サンバイザー帽子部２０単体では、まず、下部折曲部２３を介して外側環状帯部２２Ａを上側に折り曲げ（図３参照）、外側環状帯部２２Ａの上縁の高さを内側環状帯部２２Ｂの上縁の高さにほぼ揃えるようにして帯状本体部２１を形成し（図２参照）、着用者の頭部外周に被着させることにより、サンバイザーとして使用することができる。その際、内側環状帯部２２Ｂに設けられた取付釦部２５は、外側環状帯部２２Ａに覆われて外部に露出しないため、外観性が損なわれることがない。また、取付釦部２５は、内側環状帯部２２Ｂの外側環状帯部２２Ａ側に設けられているため、帯状本体部２１を頭部外周に被着させた際に取付釦部２５が頭部と直接接触することがなく、装着感が損なわれることがない。特に、実施例のように編物素材によって構成すれば、ニットバイザーとして使用することができ、ファンション性をより向上させることができる。
【００２３】
丸帽子部３０単体では、図４に示すように、着用者の頭部を被覆するように装着することにより、丸帽（鍔なしキャップ）として使用することができる。その際、釦穴部３５は、半球状本体部３１の内層部３２に設けられて外部に露出しないため、外観性を損なうことがなく、しかも切り込み状に形成されているため、丸帽子部３０の内周側に突出部分が全くなくなり、装着感も損なわれることがない。また特に、実施例のように編物素材によって構成すれば、ワッチキャップ（ニット帽）として使用することができ、ファンション性をより向上させることができる。
【００２４】
サンバイザー帽子部２０と丸帽子部３０とを合体させる場合は、まず、サンバイザー帽子部２０を帯状本体部２１の外側環状帯部２２Ａを折り曲げる前の状態（図３参照）とし、丸帽子部３０の半球状本体部３１をサンバイザー帽子部２０の内側環状帯部２２Ｂに対して被覆させる。次いで、図５に示すように、サンバイザー帽子部２０の内側環状帯部２２Ｂに設けられた取付釦部２５と、前記取付穴部２５に対応して丸帽子部３０の内層部３２に設けられた釦穴部３５とを結合させ、サンバイザー帽子部２０の外側環状帯部２２Ａを、下部折曲部２３を介して上側に折り曲げることによって丸帽子部３０の半球状本体部３１下部が開口部２４内に収納される（図１参照）。そして、帯状本体部２１を着用者の頭部外周に被着させることにより、鍔付き帽子として使用することができる。
【００２５】
上のように、サンバイザー帽子部２０と丸帽子部３０とを合体させたスリーウェイ帽子１０では、帯状本体部２１の開口部２４内で取付釦部２５と釦穴部３５とが結合されることにより、取付釦部２５や釦穴部３５が外部に露出しないため外観性が損なわれず、しかも、被着時に取付釦部２５が頭部と直接接触しないため装着感も損なわれることがない。また、実施例のように編物素材によって構成すれば、鍔付きニットキャップとして使用することができる。特に、サンバイザー帽子部２０と丸帽子部３０との合体に際しては、繊維同士の摩擦抵抗によって装着時のズレ等が抑制されて安定感を向上させることができ、さらに、同一素材で構成することによって統一感が得られてファンション性をより向上させることができる。
【００２６】
なお、本考案のスリーウェイ帽子は、前述の実施例のみに限定されるものではなく、考案の趣旨を逸脱しない範囲において構成の一部を適宜に変更して実施することができる。
【符号の説明】
【００２７】
１０    スリーウェイ帽子
２０    サンバイザー帽子部
２１    帯状本体部
２２Ａ  外側環状帯部
２２Ｂ  内側環状帯部
２３    下部折曲部
２３Ａ  前側下部
２４    開口部
２５    取付釦部
２６    鍔部
３０    丸帽子部
３１    半球状本体部
３２    外層部
３３    内層部
３５    釦穴部
【図１】
0003150574.tif 000003
【図２】
0003150574.tif 000004
【図３】
0003150574.tif 000005
【図４】
0003150574.tif 000006
【図５】
0003150574.tif 000007